(57)【要約】  【課題】食料品の管理番号を容易に生成してラベル印刷し、食料品の流通履歴などを常時追跡できるようにする。  【解決手段】ラベルプリンタＰは、食料品用のラベルに印刷を行うサーマルヘッド（プリンタ部）１３と、現在の日付・時刻を計測する時計１６とが搭載されている。又、このラベルプリンタＰは、時計１６による現在の日付・時刻を示す計時値が入力されるバッファーメモリ（計時値入力部）４と、該バッファーメモリ４に入力された計時値を他の数値の印刷データに変換する印刷データ生成部１７と、該印刷データ生成部１７で生成された印刷データをサーマルヘッド１３に出力する印刷データ出力部１８とを備え、各食料品用のラベルにトレーサビリティ情報としての管理番号を印刷する。【選択図】図１
2008036888.tif 000002
【特許請求の範囲】
【請求項１】
食料品用のラベルに印刷を行うプリンタ部と、日付・時刻を計測する時計とを搭載して成るラベルプリンタにおいて、該時計による現在の日付・時刻の計時値が入力される計時値入力部と、該計時値入力部から送られた計時値に基づいて前記食料品の管理番号の印刷データを生成する印刷データ生成部と、該印刷データ生成部で生成された印刷データを前記プリンタ部に出力する印刷データ出力部とを備え、個々の食料品に固有な管理番号をラベル印刷するように構成したことを特徴とするラベルプリンタ。
【請求項２】
上記印刷データ生成部は、上記計時値入力部から送られた計時値に特定の数値を加算又は減算することにより、上記管理番号の印刷データを生成することを特徴とする請求項１記載のラベルプリンタ。
【発明の詳細な説明】
【技術分野】
【０００１】
本発明はラベルプリンタに関するものであり、特に、食料品用のラベルに管理番号を印刷するようにしたラベルプリンタに関するものである。
【背景技術】
【０００２】
従来、電機製品のラベルには、工場出荷後のアフターケア等を考慮して、製品毎に異なる管理番号が付加されている。しかし、青果物などの食料品用のラベルには、管理番号は付加されていない。即ち、食料品用のラベルプリンタは、時計を搭載して賞味期限等の日付を印刷できるが、通常、食料品用のラベルには管理番号は印刷されていない（例えば、特許文献１参照）。
【特許文献１】特開２００２−１９００６８号公報。
【発明の開示】
【発明が解決しようとする課題】
【０００３】
上記従来技術では、食料品用のラベルに管理番号が付加されていないため、出荷後に市場で商品に関して、例えば、品質の瑕疵又は出所（生産地を含む）の混同などの問題が発生した場合、当該食料品の流通履歴などを追跡する手立てがなく、問題解決のための対応が遅れることがあった。
【０００４】
因みに、上記問題を速やかに解決すべく対応するには、食料品用のラベルに管理番号を印刷することが考えられるが、この場合、個々の食料品に識別可能な管理番号を手動で設定することは、作業が面倒であり能率的ではない。従って、個々の食料品毎に異なる管理番号を付加するために、該管理番号を如何にして能率的に作成させるかが重要な課題になる。
【０００５】
そこで、個々の食料品の管理番号を容易に生成してラベル印刷し、食料品の流通履歴などを常時追跡できるようにするために解決すべき技術的課題が生じてくるのであり、本発明はこの課題を解決することを目的とする。
【課題を解決するための手段】
【０００６】
本発明は上記目的を達成するために提案されたものであり、請求項１記載の発明は、食料品用のラベルに印刷を行うプリンタ部と、日付・時刻を計測する時計とを搭載して成るラベルプリンタにおいて、該時計による現在の日付・時刻の計時値が入力される計時値入力部と、該計時値入力部から送られた計時値に基づいて前記食料品の管理番号の印刷データを生成する印刷データ生成部と、該印刷データ生成部で生成された印刷データを前記プリンタ部に出力する印刷データ出力部とを備え、個々の食料品に固有な管理番号をラベル印刷するように構成して成るラベルプリンタを提供する。
【０００７】
この構成によれば、食料品用のラベルを印刷する際は、先ず、時計で現在の日付・時刻を計測して、この計時値を計時値入力部に入力する。次に、前記計時値を印刷データ生成部に送って、該計時値の数値と異なる管理番号の印刷データを生成する。この後、この印刷データを印刷データ出力部によりプリンタ部に出力して、個々の食料品に固有な管理番号を該食料品用のラベルに印刷する。この管理番号は、出荷後、食料品に問題が発生した際に、個々の食料品の履歴を追跡するためのトレーサビリティ情報として機能する。
【０００８】
請求項２記載の発明は、上記印刷データ生成部は、上記計時値入力部から送られた計時値に特定の数値を加算又は減算することにより、上記管理番号の印刷データを生成する請求項１記載のラベルプリンタを提供する。
【０００９】
この構成によれば、例えば、年・月・日・時・分（必要により秒）を示す各計時値は印刷データ生成部に送られて、各計時値の２桁の数値（十位の桁の数が０の場合も２桁とする）に、例えば「１１」を単純に加算するのみで、個々の食品ごとに全て異なる管理番号が自動的に生成される。
【発明の効果】
【００１０】
請求項１記載の発明は、青果物等の食料品用のラベルに、個々の食料品のトレーサビリティ情報となる管理番号が印刷表示されるため、出荷後に消費市場等で当該食料品の品質や出所等に関して問題が発生した場合、管理番号に基づいて当該食料品の履歴を追跡することにより、速やかな問題解決を図ることができる。
【００１１】
又、管理番号は常に変わる現在の計時値に基づいて作成されるので、個々の食料品ごとの管理番号を全て異ならせて自動的に作成でき、手動設定による管理番号作成方式に比べて、生産性が大幅に向上する。
【００１２】
更に、個々の食料品の管理番号は、現在の計時値と異なる管理番号に変換して印刷されるため、一般の消費者は印刷された管理番号の内容を知ることができず、管理番号が悪意者により改ざんされる恐れもない。
【００１３】
請求項２記載の発明は、現在の計時値に設定値を加算又は減算するだけで、互いに異なる管理番号を自動的に作成できるので、請求項１記載の発明の効果に加えて、管理番号の作成が容易になると共に、印刷データ生成部をシンプルに構成することができる。又、全ての管理番号は、個々の食料品の出荷順に作成されるので、食料品の履歴を出荷順番に応じて迅速に追跡することができる。
【発明を実施するための最良の形態】
【００１４】
本発明は、食料品の管理番号を容易に生成してラベル印刷し、食料品の流通履歴などを常時追跡できるようにするという目的を、食料品用のラベルに印刷を行うプリンタ部と、日付・時刻を計測する時計とを搭載して成るラベルプリンタにおいて、該時計による現在の日付・時刻の計時値が入力される計時値入力部と、該計時値入力部から送られた計時値に基づいて前記食料品の管理番号の印刷データを生成する印刷データ生成部と、該印刷データ生成部で生成された印刷データを前記プリンタ部に出力する印刷データ出力部とを備え、個々の食料品に固有な管理番号をラベル印刷するように構成することにより実現した。
【実施例】
【００１５】
以下、本発明の好適な実施例を図１及び図２に従って説明する。図１は本実施例に係るラベルプリンタＰを示すブロック図である。同図において、ラベルプリンタＰはキーボード部１及び印刷制御部３等を備えている。
【００１６】
キーボード部１はラベルプリンタＰのキー入力部であり、キーボード部１により書式設定及び印刷実行指令等が入力される。又、キーボード部１により入力された情報は、インタフェース２を介して印刷制御部３のバッファーメモリ４に書き込まれ、該書き込まれた内容は、印刷制御部３のＣＰＵ５によって読み込まれる。更に、ＣＰＵ５で読み込まれた印刷データは、印刷データメモリ６に書き込まれると共に、表示ドライバ回路７を駆動して、印刷データの内容をＬＣＤ表示部８に表示する。
【００１７】
そして、キーボード部１により印刷実行指令を入力すると、ＣＰＵ５はＲＯＭ９の印刷制御プログラムに従ってモータドライバ回路１０を制御し、送りモータ１１を駆動してラベル（剥離紙付き粘着テープ）を送りつつ、印刷データメモリ６の文書データに基づいてドットパターンデータをヘッドドライバ回路１２に出力して、サーマルヘッド１３によってラベル印刷が行われる。また、ＣＰＵ５はラベル印刷の開始時と終了時に、カッタドライバ回路１４を駆動して、カッタ１５によりラベルを所定位置にて切断（又は半切断）する。
【００１８】
本実施例に係るラベルプリンタＰには、現在の年月日・時刻を常時計測する時計（電子時計）１６が搭載され、この時計１６により計測されたタイム情報は、計時値入力部を兼ねたバッファーメモリ４に入力される。より詳しくは、現在の年月日・時刻の内容を示す数字１０個を取り出して、１０個の数字（先頭の０を含む）がバッファーメモリ４に記憶される。尚、年を示す数字は西暦を示す下位２桁の数字、或いは、平成の年度を示す２桁の数字が採用される。同様に、月、日、時及び分についても全て２桁の数字（先頭の０を含む２ビット）が採用される。
【００１９】
更に、このラベルプリンタＰの印刷制御部３には、印刷データ生成部１７及び印刷データ出力部１８が設けられている。この印刷データ生成部１７は、バッファーメモリ（計時値入力部）４に入力された１０個の計時値に基づいて前記食料品の管理番号の印刷データを生成する。本実施例では、前記計時値と１対１に対応する１０個の数字の印刷データに自動変換して生成する。具体的には、年・月・日・時・分を示す各２桁の数値に区分して、区分ごとの各数値に「１１」を加算することで、新たな１０個の数字の印刷データを生成する。
【００２０】
又、印刷データ出力部１８は、該印刷データ生成部１７により変換された印刷データ、即ち、変換処理後の１０個の数字の印刷データをサーマルヘッド１３に出力する。すると、サーマルヘッド１３は前記印刷データに基づき、変換後の１０個の数字を当該食料品の管理番号としてラベル印刷する。
【００２１】
次に、青果物用ラベルに具体的な管理番号を印刷する手順について詳述する。いま、時計１６により現在の年月日・時刻が２００６年０８月１８日午前１０時４５分と計測されたとする。このとき、図２に示すように、時計１６よりバッファーメモリ４に１０個の数字「０６０８１８１０４５」が記憶される。
【００２２】
次に、前記変換後の１０個の数字は印刷データ生成部１７に送信されて、印刷データ生成部１７において、年・月・日・時・分を夫々示す２桁の数値に区分する。そして、区分ごとの２桁の数値に「１１」が加算されることで、１０個の数字「１７１９２９２１５６」の印刷データが算出される。然る後、この印刷データは印刷データ出力部１８によりサーマルヘッド１３に出力されることによって、青果物用のラベルに数字（管理番号）「１７１９２９２１５６」が印刷される。
【００２３】
上述の如く、本実施例によれば、青果物等の食料品用のラベルに、個々の食料品の識別コードとなる管理番号が付加され、この管理番号をトレーサビリティ情報として、個々の食料品を常に管理できる。従って、食料品の出荷後に、流通ルートや消費市場等において品質や生産元などについて何か問題が発生した際は、管理番号に基づいて当該食料品の履歴を速やかに追跡することができる。
【００２４】
又、個々の食料品用のラベルに印刷される管理番号は、常に印刷時の計時値に基づいて作成されるので、個々の食料品について全て異なる管理番号を確実かつ自動的に作成できる。特に、現在の年・月・日・時・分をそれぞれ示す２桁の各数値に簡単な数値「１１」を足すのみで、管理番号の印刷データを作成できるので、複雑な構成の演算部を設けなくとも、多数の印刷データが容易に作成される。なお、前記簡単な数値は「１１」に限らず、「０１」「１０」「２１」等の他の数値であってよい。
【００２５】
更に、前記管理番号は時計１６による計時値そのものではなく、他の数値に暗号化処理して印刷されている。よって、消費者や流通業者は、印刷された管理番号の内容が判らず、管理番号が悪意者等により改ざんされる恐れもない。尚、時計１６の計時値に基づく管理番号の作成において、例えば管理番号の用途や使用目的等に応じて、暗号化処理の変換ルールを異ならせることも可能である。
【００２６】
又、個々の食料品の管理番号は、各食料品の出荷順に作成されるので、各食料品の履歴情報を出荷順に容易に追跡することができる。
【００２７】
なお、本発明は、本発明の精神を逸脱しない限り種々の改変をなすことができ、そして、本発明が該改変されたものにも及ぶことは当然である。
【図面の簡単な説明】
【００２８】
【図１】本発明に係る一実施例を示し、ラベルプリンタのブロック図。
【図２】図１のラベルプリンタにより印刷される管理番号の作成例を示す説明図。
【符号の説明】
【００２９】
３    印刷制御部
４    バッファーメモリ（計時値入力部）
５    ＣＰＵ
６    印刷データメモリ
１３  サーマルヘッド（プリンタ部）
１６  時計（計時部）
１７  印刷データ生成部
１８  印刷データ出力部
【図１】
2008036888.tif 000003
【図２】
2008036888.tif 000004